(57)【要約】【課題】浴室の壁面に取り付けた風呂リモコンから、同じく浴槽の天井に取り付けた浴室乾燥機の受光部に制御信号が重畳された赤外線を射出する場合、従来は赤外線が水平方向に射出されるので、浴室の壁面で複数回反射されて受光部に到達する。ところが、浴室の壁面が暗い色であると壁面で反射される間に赤外線が減衰され受光部に到達しなくなる。【解決手段】赤外線発光ダイオード４１の射出方向を上方に偏向し、より多くの赤外線が上方に向かって射出されるようにした。【選択図】  図３
2004173921.tif 000002
【特許請求の範囲】
【請求項１】
浴室の天井に取り付けられた浴室乾燥機に対して制御用の赤外線を射出する射出部を備え、浴室内の壁面に取り付けらる風呂リモコンにおいて、上記射出部を赤外線発光ダイオードとこの赤外線発光ダイオードを覆う透光性樹脂カバーとで構成すると共に、赤外線発光ダイオードの射出角度を水平方向より上方に偏向して設けたことを特徴とする風呂リモコン。
【請求項２】
上記透光性樹脂カバーをリモコンケースと一体に形成すると共に、少なくとも射出部の周囲表面に遮光処理を施したことを特徴とする請求項１記載の風呂リモコン。
【発明の詳細な説明】
【０００１】
【発明の属する技術分野】
本発明は、浴室の壁面に取り付けられる風呂リモコンであって、浴室の天井に取り付けられた浴室乾燥機に制御用の赤外線を照射するものに関する。
【０００２】
【従来の技術】
浴室は常に湿度が高く、特にマンションなどの集合住宅では浴室に窓を設けることができないため、浴室乾燥機を浴室の天井に取り付ける場合がある。このように浴室乾燥機は浴室の天井に取り付けられるため、手が届かず作動スイッチ等を浴室乾燥機に設けることができない。そのため浴室乾燥機の作動を制御するリモコンを設ける必要がある。ただし、浴室には別途給湯温度等を制御する風呂リモコンが必要であり、この風呂リモコンのほかに浴室乾燥機用のリモコンを設けることは外観上やコスト上望ましくない。
【０００３】
そこで、風呂リモコンに浴室乾燥機用のリモコン機能を付帯させ、風呂リモコンから浴室乾燥機への制御用の赤外線を照射させるようにしたものが知られている。この風呂リモコンは浴室の壁面に取り付けられるため、赤外線は風呂リモコンからほぼ水平に射出される。そして射出された赤外線は浴室の壁面で反射を繰り返して浴室乾燥機の受光部に到達する。
【０００４】
ただし、赤外線は風呂リモコンから射出されたあと浴室の壁面での反射を繰り返すので、反射されるごとに減衰する。壁面が比較的明るい色の場合には浴室乾燥機の受光部まで赤外線が到達するが、壁面が比較的暗い色であると減衰率が高くなり、十分な光量の赤外線が浴室乾燥機の受光部に受光されなくなる場合が生じる。このような不具合は赤外線発光ダイオードを大型化し射出される光量を多くすれば解決するが、コストが高くなるため採用できない。
【０００５】
そこで、赤外線を透過させる樹脂製の光路部材の先端に同じく透光性の樹脂からなる可動片を連結させ、この可動片の姿勢を調節して可動片から射出される赤外線の方向を上方に向けるものが知られている（例えば特許文献１参照）。
【０００６】
【特許文献１】
特開２０００−７４４６４号公報（図１）
【０００７】
【発明が解決しようとする課題】
上記従来のものでは、光路部材の先端に光路部材とは別部品である可動片を取り付けているため、光路部材と可動片との接触面で赤外線が大きく減衰するという不具合がある。この減衰率を改善するためには接触面の精度を向上させて完全に密着させる必要があるが、そのためには光路部材および可動片の生産コストが高くなる。また、仮に接触面の精度を高くしても、浴室内で長年使用していると光路部材と可動片との間に湯水や汚れが侵入し、やはり赤外線の減衰率が大きくなるという不具合が生じる。
【０００８】
そこで本発明は、上記の問題点に鑑み、コストをアップさせることなく風呂リモコンから射出された赤外線を確実に浴室乾燥機に到達させることのできる風呂リモコンを提供することを課題とする。
【０００９】
【課題を解決するための手段】
上記課題を解決するために本発明による風呂リモコンは、浴室の天井に取り付けられた浴室乾燥機に対して制御用の赤外線を射出する射出部を備え、浴室内の壁面に取り付けらる風呂リモコンにおいて、上記射出部を赤外線発光ダイオードとこの赤外線発光ダイオードを覆う透光性樹脂カバーとで構成すると共に、赤外線発光ダイオードの射出角度を水平方向より上方に偏向して設けたことを特徴とする。
【００１０】
赤外線発光ダイオードの射出角度を上方へ変更したので、射出された赤外線の多くが天井の浴室乾燥機まで到達する。なお、赤外線発光ダイオードの射出方向を偏向させるだけであるので別途の部品を必要とせず、また透光性樹脂カバーで赤外線発光ダイオードが覆われているので射出される赤外線を減衰させるような経年変化もない。
【００１１】
なお、上記透光性樹脂カバーをリモコンケースと一体に形成すると共に、少なくとも射出部の周囲表面に遮光処理を施してもよい。
【００１２】
【発明の実施の形態】
図１を参照して、１は浴室であり、浴室１の壁面１１には風呂リモコン２が取り付けられている。この風呂リモコン２は浴槽１２への湯張り制御や給湯温度を設定するものである。一方、この浴室１の天井１３には浴室乾燥機３が取り付けられている。
【００１３】
風呂リモコン２には浴室乾燥機３の制御機能も組み込まれており、浴室乾燥機の運転開始および運転停止、浴室乾燥機能と換気機能との切替等の作動を制御することができる。そして、これら浴室乾燥機３の作動制御を行う際には風呂リモコン２から制御用の信号が重畳された赤外線信号が射出される。この浴室乾燥機３には受光部３１が設けられており、風呂リモコン２から射出された赤外線は壁面１１で反射されながら受光部３１に到達し受光される。
【００１４】
図２および図３を参照して、風呂リモコン２の前面に上記赤外線を射出する射出部４が設けられている。風呂リモコン２はカバー２１とケーシング本体２２とを備えており、ケーシング２２内には基板２３が保持されている。上記射出部４はこの基板２３に取り付けられた赤外線発光ダイオード４１とこの赤外線発光ダイオード４１を覆うカバー部材４２とから構成されている。
【００１５】
このカバー部材４２は赤外線の透過率が高い透光性の樹脂で形成されており、樹脂製のカバー２１を射出成形する際に予め作成されたカバー部材４２を型内にセットしてカバー２１と一体になるように作成される。したがって、赤外線発光ダイオード４１から赤外線が射出されると、その赤外線はカバー部材４２を透過して外部に射出される。
【００１６】
本発明では、射出部４の周囲表面に遮光処理としてシール２４を貼着した。また、赤外線発光ダイオード４１を、赤外線の照射方向が水平方向に対して上方に偏向するように傾けて取り付けた。このように、赤外線発光ダイオード４１を上方に傾けて取り付けると、この赤外線発光ダイオード４１から射出される赤外線のほとんどは水平方向よりも上方に向かって射出される。その結果、壁面１１で反射されて天井１３に向かう赤外線の光量が増加し、受光部３１に確実に赤外線が到達することになる。なお、本発明では赤外線発光ダイオード４１を上方に傾けるだけでほかに改造を施す必要が無い。
【００１７】
【発明の効果】
以上の説明から明らかなように、本発明によれば、浴室の壁面に取り付けられた風呂リモコンから照射された赤外線を浴槽の天井に取り付けた浴室乾燥機の受光部に確実に到達させることができる。
【図面の簡単な説明】
【図１】本発明の一実施の形態の構成を示す図
【図２】風呂リモコンの外形を示す斜視図
【図３】風呂リモコンの断面図
【符号の説明】
１  浴室
２  風呂リモコン
３  浴室乾燥機
４  射出部
【図１】
2004173921.tif 000003
【図２】
2004173921.tif 000004
【図３】
2004173921.tif 000005